(57)【要約】      （修正有）【課題】表・裏及び各ページが所定長の縦・横を有する布で構成し、この表・裏及び各ページに標題、図柄、詩文、文字メッセージ又は写真・絵コンテ等を記述又は貼り付けた布製絵本を提供する。【解決手段】布製絵本４は表４ａ、裏及び５ないし１０の各ページで構成され、全体が綿１００（％）製又は各種の布で製作される。前記布製絵本４の各ページは第１ページの葉っぱ図柄、第２ページの水溜りと擬人化した図柄、第３ページの詩文を表示し、記述したもの等、第１ページから全ページに渉り、各種の図柄１０や詩文、文字メッセージ、コマーシャル文等を記述している。特に詩文や文字メッセージ等はページが進む毎にストーリーが判るように構成する。【選択図】図１
0003138069.tif 000002
【実用新案登録請求の範囲】
【請求項１】
表・裏及び各ページが所定長の縦・横を有する布で構成されてなり、該表・裏及び各ページの上・下辺と右辺・左綴辺とを各種材料を含む糸の縫目を有し、前記表・裏が標題及び／又は図柄、前記各ページに詩文、文字メッセージ又は写真・絵コンテを若しくはその組合せで構成された内容を記述し又は貼り付けてなることを特徴とする布製絵本。
【請求項２】
前記布製絵本の左綴辺部に略円形状飾を結んだ紐を縫合したことを特徴とする請求項１記載の布製絵本。
【考案の詳細な説明】
【技術分野】
【０００１】
本考案は、表・裏及び各ページが所定長の縦・横を有する布で構成し、この表・裏及び各ページに標題、図柄、詩文、文字メッセージ又は写真・絵コンテ等を記述又は貼り付けてなりかつ持ち運び自在である布製絵本に関する。
【背景技術】
【０００２】
従来、この種の絵本は例えば図５に示す実公平６−６９３６号の実用新案公報に開示された考案がある。この従来に於ける考案は、感温変色性絵本であって、熱変色性図柄層１が無色の状態にある絵本は表面を一旦０℃ないし１５℃の温度以下に冷却して着色状態にし、常温に戻せば、前記着色状態の熱変色性図柄は非変色像を隠蔽して常温域で保持される。また、着色状態にある前記表面部分を一旦２７℃ないし９０°の温度程度以上に加温して無色状態にしてから常温域に戻せば前記無色状態の様相は常温域で保持され非変色像を視覚させる。そして、この絵本２は、２種の様相、即ち着色状態の熱変色性図柄と非変色像から、使用者が所望に応じて一つの様相を選択して、それを保持できる機能を発揮する。この場合、前記熱変色性図柄層１の一部だけに熱又は冷熱を適用すれば、その部分のみが変化した様相となる。また、図柄３の部分毎に異種の準可逆感温色素による熱変色性図柄層１が配設されていると、各部分が変化する毎に全体の模様または構図が変わるという機能も示される技術思想である。
【特許文献１】実公平６−６９３６号実用新案公報
【考案の開示】
【考案が解決しようとする課題】
【０００３】
上述した従来の技術によれば、熱を適用するかどうかにかかわらず常に安定した状態で手軽に絵本を見て楽しむ技術としては問題があった。また、当該従来の技術では外部環境により図柄又は図柄層が変色かつ劣化し易く耐久性に劣るという問題点があった。
【課題を解決するための手段】
【０００４】
本考案に係る布製絵本は、軽量で折畳み自在であって持ち運びに便利であり、さらに詩文により各ページを追うごとストーリーが表出され見る人の楽しみを倍加し量産性の高い布製絵本を提供することを目的としたものであって、次の構成、手段から成立する。
請求項１記載の考案によれば、表・裏及び各ページが所定長の縦・横を有する布で構成されてなり、該表・裏及び各ページの上・下辺と右辺・左綴辺とを各種材料を含む糸の縫目を有し、前記表・裏が標題及び／又は図柄、前記各ページに詩文、文字メッセージ又は写真・絵コンテを若しくはその組合せで構成された内容を記述し又は貼り付けてなることを特徴とする。
【０００５】
請求項２記載の考案によれば、請求項１記載の考案に於いて、前記布製絵本の左綴辺部に略円形状飾を結んだ紐を縫合したことを特徴とする。
【考案の効果】
【０００６】
本考案に係る布製絵本は、叙上の構成を有するので次の効果がある。
すなわち、請求項１及び請求項２記載の考案によれば、当該布製絵本が汚れた場合容易に洗浄可能となり、持ち運びの際等の落下によってもこれを破損又は亀裂をすることもなくかつ取り扱う際にも人体に傷を付けることがないという効果がある。
また、布製絵本であるので手触りが柔かく質感、高級感を伴い新鮮で優しく子供層から成人層まで幅広く利用され、生産性の高い絵本を提供できる効果がある。
さらに、当該布製絵本を折畳み可能にコンパクトに収納しかつ持ち運び容易にするという効果がある。
【考案を実施するための最良の形態】
【０００７】
以下、本考案に係る布製絵本の実施の形態について添付図面に基づき詳細に説明する。
【０００８】
図１は、本考案に係る布製絵本の実施の形態を示す平面図である。図２は、本考案に係る布製絵本の実施の形態に於ける全体形状を示す斜視図である。図３は、本考案に係る布製絵本の各ページの一例であって、詩文、文字メッセージや図柄、絵コンテを示す平面図である。図４は、最終ページと裏の内側ページ等であって、記述され又は貼り付けられた写真及び文字メッセージの一例、さらに当該絵本の裏の内側ページに記述された図柄の一例を示す平面図である。
【０００９】
４は当該本考案に係る布製絵本である。該布製絵本４は図２に示すように例えばＡ４版用紙サイズを横置きにして表４ａ、裏４ｂ及び例えば５ないし１０の各ページ４ｃで構成され、全体が例えば、綿１００（％）製又は各種の布で製作される。そして、上記表４ａ、裏４ｂ及び各ページ４ｃの上辺５、下辺６、右辺７及び左綴辺８は布糸や樹脂製糸又は金属系等各種材料で構成された糸で縫い、それぞれ縫目５ａ、６ａ、７ａ及び８ａを備えている。この縫目５ａ、６ａ、７ａ及び８ａが存在するのでこの上辺５、下辺６、右辺７及び左綴辺８の各部位に外部から落下や折畳む等のストレスがあっても亀裂や破損することがない。
【００１０】
当該布製絵本４の前記表４ａ、裏４ｂ及び各ページ４ｃは一枚の布で構成してもよいが、二枚で構成し、上記糸で上記表４ａ、裏４ｂ及び各ページ４ｃにそれぞれ上記縫目５ａ、６ａ、７ａ、８ａを有し袋綴に構成し、さらに耐久性を向上させることもできる。前記表４ａはそのサイズとしては例えば横１５５（ｍｍ）、縦１５０（ｍｍ）で構成し、図１に示すように標題９及び／又は図柄１０を記述し又は別に作成したものを貼り付け又は縫合して構成する。この記述方法、掲載方法等は各種の方法が考えられるが刺繍や縫合その他の手段で行なう。図１は標題９と図柄１０との組合せであるが、その一方のみでもよくこれらを表示せず無地であってもよい。図２に示す表４ａは雨傘をイメージした図柄１０のみ存在する例であり、本考案ではこれに限定されるものではない。
【００１１】
前記布製絵本４の裏４ｂは図４に示す該裏４ｂの内側ページ４ｂ１に例示したような図柄１０のみでもよく又は図柄１０に代えて図柄１０と共に詩文や文字メッセージの作者名等を記述することでもよい。
【００１２】
前記布製絵本４の各ページ４ｃは図３にその例示をしている。図３は各ページ４ｃの各平面図であり、例えば第１ページ４ｃ１は葉っぱ図柄、第２ページ４ｃ２は水溜りと擬人化した図柄、第３ページ４ｃ３は詩文１１を表示し、記述したもの及び第４ページ４ｃ４は第２ページ４ｃ２と同様擬人化した図柄等であり、第１ページ４ｃ１から全ページに渉り、各種の図柄１０や詩文、文字メッセージ、コマーシャル文等を記述している。特に詩文や文字メッセージ等はページが進む毎にストーリーが判るように構成し、この絵本１冊で全ストーリーを読者が理解する。そして、当該布製絵本４の購買意欲を向上させることも重要な点である。
【００１３】
当該布製絵本４の最終章の最終ページ４ｃ５は図４に示すように、その上段に例えば当該布製絵本４の贈り主等の写真の貼り付け又は記述部位１２を、その下段に文字メッセージ等の記述（掲載）部位１３を設け又は貼り付ける。
【００１４】
本考案に係る布製絵本４は上述したように左辺に左綴辺８を設けたがこれに限定せず右辺７を糸で綴じる構成としてもよい。尚、図１に於いて１４は略円形状飾で
あって布製絵本１の左綴辺８の部分に紐１５で結んである。該布製絵本１を持ち運びの際これを把持する。また、略円形状飾１４は縫目１４ａを備え、糸で縫合する。
【図面の簡単な説明】
【００１５】
【図１】本考案に係る布製絵本の実施の形態を示す平面図である。
【図２】本考案に係る布製絵本の実施の形態に於ける全体形状を示す斜視図である。
【図３】本考案に係る布製絵本の各ページの一例であって、詩文、文字メッセージや図柄、絵コンテを示す平面図である。
【図４】最終ページと裏の内側ページ等であって、記述され又は貼り付けられた写真及び文字メッセージの一例、さらに当該絵本の裏の内側ページに記述された図柄の一例を示す平面図である。
【図５】従来の技術に於ける絵本の一例を示す平面図である。
【符号の説明】
【００１６】
４      本考案に係る布製絵本
４ａ    本考案に係る布製絵本の表
４ｂ    本考案に係る布製絵本の裏
４ｂ１  本考案に係る布製絵本の裏の内側ページ
４ｃ    本考案に係る布製絵本の各ページ
４ｃ１  本考案に係る布製絵本の第１ページ
４ｃ２  本考案に係る布製絵本の第２ページ
４ｃ３  本考案に係る布製絵本の第３ページ
４ｃ４  本考案に係る布製絵本の第４ページ
４ｃ５  本考案に係る布製絵本の最終ページ
５      本考案に係る布製絵本の表の上辺
５ａ    本考案に係る布製絵本の表の上辺の縫目
６      本考案に係る布製絵本の表の下辺
６ａ    本考案に係る布製絵本の表の下辺の縫目
７      本考案に係る布製絵本の表の右辺
７ａ    本考案に係る布製絵本の表の右辺の縫目
８      本考案に係る布製絵本の表の左綴辺
８ａ    本考案に係る布製絵本の表の左綴辺の縫目
９      標題
１０    図柄
１１    詩文
１２    写真の貼り付け又は記述部位
１３    文字メッセージ等の記述部位
１４    略円形状飾
１４ａ  縫目
１５    紐
【図１】
0003138069.tif 000003
【図２】
0003138069.tif 000004
【図３】
0003138069.tif 000005
【図４】
0003138069.tif 000006
【図５】
0003138069.tif 000007